(57)【要約】【課題】  排液管の下流端部の外部におけるガスや虫などが、この下流端部の開口を通り上記排液管内を上流側に向かって逆流しようとすることを、より確実に防止する。【解決手段】  逆流防止装置１１は、排液管１０の下流端部１２の開口１３を開閉可能に閉じるフラップ弁１６と、このフラップ弁１６が開弁、閉弁回動Ａ，Ｂするようこのフラップ弁１６を下流端部１２の上部に枢支させる枢支具１７とを備える。フラップ弁１６の側部から延出し、このフラップ弁１６と共に枢支具１７回りに回動するサイドカバー２１を設ける。このサイドカバー２１を排液管１０の下流端部１２の外側面２２に沿うよう延出させる。【選択図】  図１
2006183325.tif 000002
【特許請求の範囲】
【請求項１】
排液管の下流端部の開口を開閉可能に閉じるフラップ弁と、このフラップ弁が開弁、閉弁回動するようこのフラップ弁を上記下流端部の上部に枢支させる枢支具とを備えた逆流防止装置において、
上記フラップ弁の側部から上記排液管の下流端部の外側面に沿うよう延出し、上記フラップ弁と共に上記枢支具回りに回動するサイドカバーを設けたことを特徴とする逆流防止装置。
【請求項２】
上記排液管の下流端部の開口の軸心に沿った視線でみて、この下流端部に矩形の外向きフランジを形成し、この外向きフランジの外側面を上記下流端部の外側面としたことを特徴とする請求項１に記載の逆流防止装置。
【請求項３】
上記フラップ弁が所定角だけ開弁回動したとき、それ以上の開弁回動を阻止するストッパを設け、上記所定角を任意に調整可能としたことを特徴とする請求項１、もしくは２に記載の逆流防止装置。
【請求項４】
上記フラップ弁の自由状態で、このフラップ弁が上記排液管の下流端部の端面に圧接するようにし、その圧接力を調整可能とする圧接力調整装置を設けたことを特徴とする請求項１から３のうちいずれか１つに記載の逆流防止装置。
【発明の詳細な説明】
【技術分野】
【０００１】
本発明は、排液管の下流端部の外部における異臭ガスや虫などが、この下流端部の開口を通り上記排液管内を上流側に向かって逆流しようとすることを防止する逆流防止装置に関するものである。
【背景技術】
【０００２】
上記逆流防止装置には、従来、下記特許文献１に示されるものがある。この公報のものによれば、上記逆流防止装置は、排液管の下流端部の開口を開閉可能に閉じるフラップ弁と、このフラップ弁が開弁、閉弁回動するようこのフラップ弁を上記下流端部の上部に枢支させる枢支具とを備え、上記排液管の上流端は浴室の床面に開口している。
【０００３】
上記浴室の使用により生じる排液の一例である排水は、上記排液管を流下して上記下流端部に達する。すると、上記排水の水圧により上記フラップ弁が開弁回動させられる。これにより、上記排水は、上記下流端部の開口を通って下水管に放流される。
【０００４】
一方、上記浴室からの排水がない場合には、上記フラップ弁は上記下流端部の開口を閉じている。このため、上記下流端部の外部のガスや虫が上記開口を通り上記排液管内を逆流する、ということは防止される。
【０００５】
【特許文献１】特開２００１−２０３３９号公報
【発明の開示】
【発明が解決しようとする課題】
【０００６】
ところで、上記したように、排液管を自然流下する排水がフラップ弁を開弁回動させて放流されるとき、上記排水は、通常、上記開口の各部のうち、下部のみを通って放流される。このため、上記下流端部の端面と、開弁回動したフラップ弁とで挟まれた空間の上部は、上記開口の各部のうちの上部を外部に向かって連通させる連通路となる。
【０００７】
この結果、上記下流端部の外部における特に大形の虫であるゴキブリなどが、上記連通路を通り上記排液管内を逆流するおそれがある。つまり、上記従来の技術のものでは、逆流を防止する点で、改善の余地が残されている。
【課題を解決するための手段】
【０００８】
本発明は、上記のような事情に注目してなされたもので、本発明の目的は、排液管の下流端部の外部におけるガスや虫などが、この下流端部の開口を通り上記排液管内を上流側に向かって逆流しようとすることを、より確実に防止することである。
【０００９】
請求項１の発明は、排液管１０の下流端部１２の開口１３を開閉可能に閉じるフラップ弁１６と、このフラップ弁１６が開弁、閉弁回動Ａ，Ｂするようこのフラップ弁１６を上記下流端部１２の上部に枢支させる枢支具１７とを備えた逆流防止装置において、
上記フラップ弁１６の側部から上記排液管１０の下流端部１２の外側面２２に沿うよう延出し、上記フラップ弁１６と共に上記枢支具１７回りに回動するサイドカバー２１を設けたものである。
【００１０】
請求項２の発明は、請求項１の発明に加えて、上記排液管１０の下流端部１２の開口１３の軸心１９に沿った視線でみて（図３）、この下流端部１２に矩形の外向きフランジ２６を形成し、この外向きフランジ２６の外側面を上記下流端部１２の外側面２２としたものである。
【００１１】
請求項３の発明は、請求項１、もしくは２の発明に加えて、上記フラップ弁１６が所定角θだけ開弁回動Ａしたとき、それ以上の開弁回動Ａを阻止するストッパを設け、上記所定角θを任意に調整可能としたものである。
【００１２】
請求項４の発明は、請求項１から３のうちいずれか１つの発明に加えて、上記フラップ弁１６の自由状態で、このフラップ弁１６が上記排液管１０の下流端部１２の端面３５に圧接するようにし、その圧接力を調整可能とする圧接力調整装置３６を設けたものである。
【００１３】
なお、この項において、上記各用語に付記した符号は、本発明の技術的範囲を後述の「実施例」の項や図面の内容に限定解釈するものではない。
【発明の効果】
【００１４】
本発明による効果は、次の如くである。
【００１５】
請求項１の発明は、排液管の下流端部の開口を開閉可能に閉じるフラップ弁と、このフラップ弁が開弁、閉弁回動するようこのフラップ弁を上記下流端部の上部に枢支させる枢支具とを備えた逆流防止装置において、
上記フラップ弁の側部から上記排液管の下流端部の外側面に沿うよう延出し、上記フラップ弁と共に上記枢支具回りに回動するサイドカバーを設けている。
【００１６】
このため、上記排液管を自然流下する排液が、その液圧により上記フラップ弁を開弁回動させて放流されるとき、上記排液管の下流端部の端面と、開弁回動したフラップ弁とで挟まれた空間の上部における各側部は、上記サイドカバーによって閉じられる（図１中、一点鎖線）。
【００１７】
よって、上記排液管の下流端部の外部におけるガスや虫などが、この下流端部の開口を通り上記排液管内を上流側に向かって逆流しようとすることは、前記従来の技術におけるフラップ弁によることに加え、上記サイドカバーによっても防止される。この結果、上記逆流は、より確実に防止される。
【００１８】
請求項２の発明は、上記排液管の下流端部の開口の軸心に沿った視線でみて、この下流端部に矩形の外向きフランジを形成し、この外向きフランジの外側面を上記下流端部の外側面としている。
【００１９】
このため、上記下流端部の外側面は、上記サイドカバーの内面と平行かつ平坦な面となり、上記外側面とサイドカバーとの間の隙間は、上記外側面のほぼ全体にわたり、より小さくできる。よって、上記空間の上部における各側部は、上記サイドカバーによって、より確実に閉じられる。この結果、上記逆流は更に確実に防止される。
【００２０】
請求項３の発明は、上記フラップ弁が所定角だけ開弁回動したとき、それ以上の開弁回動を阻止するストッパを設け、上記所定角を任意に調整可能としている。
【００２１】
このため、上記排液管を自然流下する排液の量（単位時間当たりの量、以下同じ）が少ないときには、上記所定角を小さくしておけばよい。このようにすれば、上記排液が上記下流端部の開口を通過しようとすることが規制される。これにより、上記排液管の下流端部内における排液の液面を、より高くできる。
【００２２】
よって、その分、上記空間の各側部は、上記排液によって、より大きく閉じられる。この結果、上記逆流は更に確実に防止される。
【００２３】
請求項４の発明は、上記フラップ弁の自由状態で、このフラップ弁が上記排液管の下流端部の端面に圧接するようにし、その圧接力を調整可能とする圧接力調整装置を設けている。
【００２４】
このため、上記排液管の下流端部の俯角が区々としても、上記調整装置により上記圧接力を所望値に調整できる。
【００２５】
そして、上記のように圧接力を所望値にすれば、上記下流端部の開口を通し放流されようとする排液の液圧に上記フラップ弁が十分に対抗して、上記排液が上記下流端部の開口を通過しようとすることが規制される。これにより、上記排液管の下流端部内における排液の液面を、より高くできる。
【００２６】
よって、その分、上記空間の各側部は、上記排液によって、より大きく閉じられる。この結果、上記逆流は更に確実に防止される。
【発明を実施するための最良の形態】
【００２７】
本発明の逆流防止装置に関し、排液管の下流端部の外部におけるガスや虫などが、この下流端部の開口を通り上記排液管内を上流側に向かって逆流しようとすることを、より確実に防止する、という目的を実現するため、本発明を実施するための最良の形態は、次の如くである。
【００２８】
即ち、逆流防止装置は、排液管の下流端部の開口を開閉可能に閉じるフラップ弁と、このフラップ弁が開弁、閉弁回動するようこのフラップ弁を上記下流端部の上部に枢支させる枢支具とを備えている。上記フラップ弁の側部から延出し、このフラップ弁と共に、上記枢支具回りに回動するサイドカバーが設けられる。このサイドカバーは上記排液管の下流端部の外側面に沿うよう延出させられている。そして、上記サイドカバーは、上記下流端部の外側面の近傍に配置されている。
【実施例】
【００２９】
本発明をより詳細に説明するために、その実施例を添付の図に従って説明する。
【００３０】
図２において、符号１は排液装置である。この排液装置１は、一般家庭の家２から生じる排水である排液３を下水管４に向かって放流させるものである。５は側溝、６は溝蓋、７はごみ除けである。
【００３１】
上記排液装置１は、上記家２側から下水管４に向かって下傾するように延び、上記下水管４内に向かって上記排液３を自然流下させる排液管１０と、この排液管１０内を異臭ガスや虫などが逆流しようとすることを防止する逆流防止装置１１とを備えている。より具体的には、上記排液管１０の下流端部１２の外部である上記下水管４内には、一般に、異臭ガスや虫などが存在する。そして、上記逆流防止装置１１は、上記ガスや虫などが上記下流端部１２の開口１３を通り上記排液管１０内を上流側に向かって逆流しようとすることを防止する。
【００３２】
全図において、上記逆流防止装置１１は、上記下流端部１２の開口１３を開閉可能に閉じるフラップ弁１６と、このフラップ弁１６が開弁、閉弁回動Ａ，Ｂするようこのフラップ弁１６を上記下流端部１２の上端部に枢支させる枢支具１７とを備えている。上記フラップ弁１６は平坦な板形状をなしている。このフラップ弁１６は、上記枢支具１７の枢支軸心１８回りで、上記開弁、閉弁回動Ａ，Ｂ可能とされている。上記枢支軸心１８は、上記下流端部１２の開口１３の軸心１９に沿った視線でみて（図３）、左右にほぼ水平に延びている。
【００３３】
上記フラップ弁１６の左右各側部からそれぞれ一体的に延出し、このフラップ弁１６と共に上記枢支軸心１８回りに回動する左右一対のサイドカバー２１が設けられている。これら各サイドカバー２１は、平坦な板形状をなし、上記枢支軸心１８の周方向、かつ、上記排液管１０の下流端部１２の外側面２２に沿うように延出し、この外側面２２の近傍に配置されている。
【００３４】
上記排液管１０は、その上流側を構成する樹脂製の排液管本体２４と、上記排液管１０の下流端部１２を構成する樹脂製の短管２５とを備えている。この短管２５は、上記排液管本体２４の下流端とは別体に設けられてこの下流端に嵌合して取り付けられる。上記フラップ弁１６と各サイドカバー２１とは樹脂製で、上記枢支具１７により上記短管２５の上端部に枢支されている。
【００３５】
上記下流端部１２である短管２５には、上記下流端部１２の開口１３の軸心１９に沿った視線でみて（図３）、矩形の外向きフランジ２６が一体的に形成されている。上記外向きフランジ２６の外側面が上記下流端部１２の外側面２２とされている。上記外向きフランジ２６の外側面２２は、上記サイドカバー２１の内面と平行かつ平坦な面とされ、上記外側面２２とサイドカバー２１との間の隙間は、上記外側面２２のほぼ全体にわたり小さくされている。つまり、上記外側面２２に上記サイドカバー２１が接近して対面させられている。
【００３６】
上記フラップ弁１６が所定角θだけ開弁回動Ａしたとき（図１中、一点鎖線）、それ以上の開弁回動Ａを阻止するストッパ２９が設けられている。
【００３７】
上記ストッパ２９につき説明すると、上記各サイドカバー２１の下縁部には長孔３０が形成されている。この長孔３０は、上記枢支軸心１８を中心とする円弧形状をなしている。上記ストッパ２９は、上記長孔３０に嵌入されこの長孔３０の長手方向に移動可能な突起３１と、上記長孔３０の長手方向の任意位置で、上記突起３１を上記サイドカバー２１に着脱可能に固着させる締結具３２とを備えている。
【００３８】
上記フラップ弁１６が所定角θだけ開弁回動Ａしたとき、上記突起３１が上記外向きフランジ２６に当接して、上記フラップ弁１６のそれ以上の開弁回動Ａが阻止される（図１中、一点鎖線）。上記サイドカバー２１に対する突起３１の固着位置を変更することにより、上記所定角θが任意に調整可能とされている。
【００３９】
上記排液管１０の下流端部１２の端面３５は、斜め上方に対向するよう傾斜している。上記フラップ弁１６の自由状態で、このフラップ弁１６は上記下流端部１２の端面３５の各部に全体的に圧接している。この端面３５に対する上記フラップ弁１６の圧接力を調整可能とする圧接力調整装置３６が設けられている。
【００４０】
上記調整装置３６は、上記長孔３０に嵌入され、この長孔３０の長手方向に移動可能な重り３７と、上記長孔３０の長手方向の任意位置で、上記重り３７を上記サイドカバー２１に着脱可能に固着させる締結具３８とを備えている。
【００４１】
上記サイドカバー２１に対する上記重り３７の固着位置を上記開弁回動Ａ方向に移動させれば、上記圧接力を大きくさせることができる。上記と逆の閉弁回動Ｂ方向に移動させれば、上記圧接力を小さくさせることができる。
【００４２】
上記長孔３０の孔縁部には、不図示の目盛りが設けられている。この目盛りに対比して、上記突起３１と重り３７とが位置決め可能とされている。
【００４３】
上記フラップ弁１６、枢支具１７、各サイドカバー２１、短管２５、ストッパ２９、および調整装置３６は互いに一体的に組み立てられたユニットとされている。このユニットは、上記排液管１０の排液管本体２４の下流端に一体的に取り付けられている。
【００４４】
上記構成によれば、フラップ弁１６の各側部から上記排液管１０の下流端部１２の外側面２２に沿うよう延出し、上記フラップ弁１６と共に上記枢支具１７回りに回動する左右一対のサイドカバー２１を設けている。
【００４５】
このため、上記排液管１０を自然流下する排液３が、その液圧により上記フラップ弁１６を開弁回動Ａさせて放流されるとき、上記排液管１０の下流端部１２の端面３５と、開弁回動Ａしたフラップ弁１６とで挟まれた空間４０の上部における各側部は、上記各サイドカバー２１によって、それぞれ閉じられる（図１中、一点鎖線）。
【００４６】
よって、上記排液管１０の下流端部１２の外部におけるガスや虫などが、この下流端部１２の開口１３を通り上記排液管１０内を上流側に向かって逆流しようとすることは、前記従来の技術におけるフラップ弁１６によることに加え、上記サイドカバー２１によっても防止される。この結果、上記逆流は、より確実に防止される。
【００４７】
また、前記したように、排液管１０の下流端部１２の開口１３の軸心１９に沿った視線でみて（図３）、この下流端部１２に矩形の外向きフランジ２６を形成し、この外向きフランジ２６の外側面を上記下流端部１２の外側面２２としている。
【００４８】
このため、上記下流端部１２の外側面２２は、上記サイドカバー２１の内面と平行かつ平坦な面となり、上記外側面２２と各サイドカバー２１との間の隙間は、上記外側面２２のほぼ全体にわたり、より小さくできる。よって、上記空間４０の上部における各側部は、上記各サイドカバー２１によって、それぞれ、より確実に閉じられる。この結果、上記逆流は更に確実に防止される。
【００４９】
また、前記したように、フラップ弁１６が所定角θだけ開弁回動Ａしたとき、それ以上の開弁回動Ａを阻止するストッパを設け、上記所定角θを任意に調整可能としている。
【００５０】
このため、上記排液管１０を自然流下する排液３の量（単位時間当たりの量、以下同じ）が少ないときには、上記所定角θを小さくしておけばよい。このようにすれば、上記排液３が上記下流端部１２の開口１３を通過しようとすることが規制される。これにより、上記排液管１０の下流端部１２内における排液３の液面を、より高くできる。
【００５１】
よって、その分、上記空間４０の各側部は、上記排液３によって、より大きく閉じられる。この結果、上記逆流は更に確実に防止される。
【００５２】
また、前記したように、フラップ弁１６の自由状態で、このフラップ弁１６が上記排液管１０の下流端部１２の端面３５に圧接するようにし、その圧接力を調整可能とする圧接力調整装置３６を設けている。
【００５３】
このため、上記排液管１０の下流端部１２の俯角が区々としても、上記調整装置３６により上記圧接力を所望値に調整できる。
【００５４】
そして、上記のように圧接力を所望値にすれば、上記下流端部１２の開口１３を通し放流されようとする排液３の液圧に上記フラップ弁１６が十分に対抗して、上記排液３が上記下流端部１２の開口１３を通過しようとすることが規制される。これにより、上記排液管１０の下流端部１２内における排液３の液面を、より高くできる。
【００５５】
よって、その分、上記空間４０の各側部は、上記排液３によって、より大きく閉じられる。この結果、上記逆流は更に確実に防止される。
【００５６】
なお、以上は図示の例によるが、上記逆流防止装置１１は、食品や化学の工場、レストラン等の飲食業、更に都市等から河川や海岸に向かって放流するところなどに適用可能である。
【００５７】
また、上記フラップ弁１６、サイドカバー２１、短管２５などは鋳鉄製としてもよい。また、上記短管２５は上記開口１３から排液管本体２４側に至る間で口径や形状が変化するもの（レジューサ）であってもよい。
【００５８】
また、上記排液管本体２４と短管２５は互いに一体的に形成されたものであってもよい。
【００５９】
また、上記ストッパ２９と調整装置３６は上記両サイドカバー２１のうち、一方のサイドカバー２１にのみ設けてもよい。
【図面の簡単な説明】
【００６０】
【図１】逆流防止装置の側面図である。
【図２】排液装置の全体側面断面図である。
【図３】逆流防止装置の正面図である。
【図４】図１の４−４線矢視断面図である。
【図５】図１の５−５線矢視断面図である。
【符号の説明】
【００６１】
１    排液装置
３    排液
４    下水管
１０  排液管
１１  逆流防止装置
１２  下流端部
１３  開口
１６  フラップ弁
１７  枢支具
１８  枢支軸心
１９  軸心
２１  サイドカバー
２２  外側面
２４  排液管本体
２５  短管
２６  外向きフランジ
２９  ストッパ
３５  端面
３６  調整装置
４０  空間
Ａ    開弁回動
Ｂ    閉弁回動
θ    所定角
【図１】
2006183325.tif 000003
【図２】
2006183325.tif 000004
【図３】
2006183325.tif 000005
【図４】
2006183325.tif 000006
【図５】
2006183325.tif 000007
【手続補正書】
【提出日】平成17年1月7日(2005.1.7)
【手続補正１】
【補正対象書類名】図面
【補正対象項目名】全図
【補正方法】変更
【補正の内容】
【図１】
2006183325.tif 000008
【図２】
2006183325.tif 000009
【図３】
2006183325.tif 000010
【図４】
2006183325.tif 000011
【図５】
2006183325.tif 000012